(57)【要約】      （修正有）【課題】地面との摩擦を大きくすることによって人の転倒を防止し、また、吸水性及び通気性を向上させると共に、使用時の快適さを向上させる防水防滑床敷きマットを提供する。【解決手段】防水防滑床敷きマット１００は、発泡材料から発泡成形した本体層２と、本体層の上方に配置された毛羽吸水層１と、本体層の下方に配置された防滑層４とを備えている。毛羽吸水層は、床敷きマットの上面を構成し、防滑層は、床敷きマットの下面を構成している。防滑層と本体層との間に不織布から構成された緩衝層３をさらに備えているのが好ましい。【選択図】図２
0003205539.tif 000002
【実用新案登録請求の範囲】
【請求項１】
発泡材料から発泡成形した本体層と、
前記本体層の上方に配置された毛羽吸水層と、
前記本体層の下方に配置された防滑層とを備え、
前記毛羽吸水層は、前記床敷きマットの上面を構成し、
前記防滑層は、前記床敷きマットの下面を構成していることを特徴とする防水防滑床敷きマット。
【請求項２】
前記毛羽吸水層は、ポリエステル、アクリル及びスパンデックス糸のうちの１種類又は複数種類から構成されていることを特徴とする請求項１に記載の防水防滑床敷きマット。
【請求項３】
前記防滑層は、ＰＵ材料又はアクリル材料であることを特徴とする請求項１に記載の防水防滑床敷きマット。
【請求項４】
前記床敷きマットは、前記防滑層と前記本体層との間に配置された緩衝層をさらに備えていることを特徴とする請求項１に記載の防水防滑床敷きマット。
【請求項５】
前記緩衝層は、不織布から構成されていることを特徴とする請求項４に記載の防水防滑床敷きマット。
【請求項６】
前記毛羽吸水層、前記本体層、前記緩衝層及び前記防滑層の任意の隣接する２層の間は、粘着方式によって接続されていることを特徴とする請求項４に記載の防水防滑床敷きマット。
【請求項７】
前記床敷きマットの周囲には、別の前記床敷きマットと接続するための係合部が設けられていることを特徴とする請求項１に記載の防水防滑床敷きマット。
【請求項８】
前記下面は、平滑構造であることを特徴とする請求項１に記載の防水防滑床敷きマット。
【考案の詳細な説明】
【技術分野】
【０００１】
本考案は、床敷きマットの技術分野に関し、特に防水防滑床敷きマットに関する。
【背景技術】
【０００２】
床敷きマットは、入口で泥埃や水分を効果的に除去し、室内の地面の清潔を保つための商品である。従来使用されている床敷きマットは、ゴム製が一般的であり、マットの底部の多くは滑らかな平面である。これでは、平滑な平面と地面との摩擦係数が小さく、特に地面が湿っている場合、床敷きマットと地面との間の摩擦係数がより小さくなり、人が床敷きマットを踏む際に、床敷きマットが移動したり変位したりする現象が起こる可能性があり、身体の重心が不安定になって、転倒してしまう。
【０００３】
従来の床敷きマットは、安全性の欠陥による転倒以外にも、吸水性及び通気性が悪く、子供の遊び場においても快適さが低い。
【考案の概要】
【考案が解決しようとする課題】
【０００４】
本考案の目的は、上記の技術的問題の少なくとも１つを解決するために、床敷きマットと地面との摩擦を効果的に大きくすることによって、人の転倒が防止され、また、床敷きマットの吸水性及び通気性が向上すると共に、使用時の快適さが向上する、防水防滑床敷きマットを提供することである。
【課題を解決するための手段】
【０００５】
上記の目的を実現すべく、本考案に係る防水防滑床敷きマットは、発泡材料から発泡成形した本体層と、前記本体層の上方に配置された毛羽吸水層と、前記本体層の下方に配置された防滑層とを備えている。前記毛羽吸水層は、前記床敷きマットの上面を構成し、前記防滑層は、前記床敷きマットの下面を構成している。
【０００６】
好ましくは、前記毛羽吸水層は、ポリエステル、アクリル及びスパンデックス糸のうちの１種類又は複数種類から構成されている。
【０００７】
好ましくは、前記防滑層は、ＰＵ材料又はアクリル材料である。
【０００８】
好ましくは、前記床敷きマットは、前記防滑層と前記本体層との間に配置された緩衝層をさらに備えている。
【０００９】
好ましくは、前記緩衝層は、不織布から構成されている。
【００１０】
好ましくは、前記毛羽吸水層、前記本体層、前記緩衝層及び前記防滑層の任意の隣接する２層の間は、粘着方式によって接続されている。
【００１１】
好ましくは、前記床敷きマットの周囲には、別の前記床敷きマットと接続するための係合部が設けられている。
【００１２】
好ましくは、前記下面は、平滑構造である。
【考案の効果】
【００１３】
従来技術と比較した本考案の有益な効果は、以下の通りである。毛羽吸水層を配置することにより、床敷きマットの吸水性及び通気性が向上すると共に、使用時の快適さが向上する。また、防滑層を配置することにより、床敷きマットと地面との摩擦が大きくなり、床敷きマットの移動による人の転倒が回避される。
【図面の簡単な説明】
【００１４】
【図１】本考案に係る防水防滑床敷きマットの構成概略図である。
【図２】図１におけるＡーＡに沿った縦断面図である。
【考案を実施するための形態】
【００１５】
以下、図面に示される具体的な実施形態と併せて、本考案について詳細に説明する。これらの実施形態は、本考案を限定するものではない。当業者がこれらの実施形態に基づいた構造、方法又は機能の同等置換のすべては、本考案による保護範囲内に含まれるべきである。
【００１６】
図１及び図２に示すように、本考案に係る防水防滑床敷きマット１００は、毛羽吸水層１、本体層２及び防滑層４を備えている。
【００１７】
毛羽吸水層１、本体層２及び防滑層４は、上下に積層するように配置されている。
【００１８】
具体的には、本体層２は、発泡材料から発泡成形され、厚さが大きい。発泡材料は、ＰＥ材料であってよい。
【００１９】
毛羽吸水層１は、本体層２の上方に配置され、床敷きマット１００の上面を構成している。即ち、床敷きマット１００が地面に敷かれている場合、毛羽吸水層１は、人の身体と接触することができる。従って、毛羽吸水層１の高い吸水性及び通気性により、床敷きマットの吸水性及び通気性が向上し、また、毛羽吸水層１のソフトな触感により、快適さが向上する。
【００２０】
防滑層４は、本体層２の下方に配置され、床敷きマット１００の下面１０２を構成している。即ち、床敷きマット１００が地面に敷かれている場合、防滑層４は、地面と接触している。従って、防滑層４によって、床敷きマット１００と地面との摩擦が大きくなり、床敷きマット１００の移動による人の転倒が回避される。
【００２１】
毛羽吸水層１は、ポリエステル、アクリル及びスパンデックス糸のうちの１種類又は複数種類から構成されていることが好ましい。
【００２２】
防滑層４は、ＰＵ材料又はアクリル材料であり、本体層２と比較すれば、地面との摩擦がより大きい。これによって、床敷きマットの防滑効果が向上する。
【００２３】
防滑層４によって構成される下面１０２は、平滑構造である。これによって、下面１０２が地面と密接して、防滑効果が確保されると共に、床敷きマット１００と地面との間に隙間が存在することにより埃が溜まる問題が回避される。
【００２４】
好ましくは、床敷きマット１００は、防滑層４と本体層２との間に配置された緩衝層３をさらに備えている。緩衝層３は、不織布から構成されている。これによって、床敷きマット１００の緩衝効果が向上し、防滑層４と本体層２との接続安定性も向上する。また、不織布の吸水効果によって、緩衝層３は、地面に流れる少量の水分を吸収する。これにより、床の湿りが回避される。
【００２５】
毛羽吸水層１、本体層２、緩衝層３及び防滑層４の任意の隣接する２層の間は、粘着方式によって接続されている。
【００２６】
床敷きマット１００の周囲には、別の床敷きマット１００と接続するための係合部１０１が設けられている。これにより、複数の床敷きマット１００を接続して平面に沿って延在させることができる。
【００２７】
上記に挙げた詳細な説明は、本考案の実施可能な実施形態についての具体的な説明だけであって、本考案の保護範囲を限定するものではない。本考案の技術精神の範囲内で限り、同様効果の実施形態の実施又は変更などのすべては、本考案の保護範囲内に含まれるべきである。
【符号の説明】
【００２８】
１  毛羽吸水層
２  本体層
３  緩衝層
４  防滑層
１００  床敷きマット
１０１  係合部
１０２  下面
【図１】
0003205539.tif 000003
【図２】
0003205539.tif 000004